(57)【要約】【課題】  容器本体に着脱自在に取付けられたラベルが脱落しにくくなるようにする。【解決手段】  側壁部２１の上端部２１ａが開口部２５の縁となっている容器本体２０と容器本体２０に着脱可能なラベル３０を備えた容器１０にて、側壁部２１にその外面２１ｂから窪んだ凹部２２が形成され、凹部２２の内面は側壁部２１の凹部２２以外の部分の内面２１ｃから突出する凸部２３を形成し、凸部２３の横方向の幅は下方になるほど広く形成され、ラベル３０は可撓性ある板状のものであって、ラベル本体３１とこれと一体に形成された取付部３２を有し、取付部３２は、差込部３３と差込部３３の両側に形成された係合部を有し、凸部２３の上端部には差込部３３が挿通可能な挿通用孔が形成され、凸部２３の両方の側端部の各々に係合用孔が形成され、差込部３３が開口部２５側から挿通用孔に差し込まれたときに、各係合部が各係合用孔に係合する。【選択図】        図１
2006075045.tif 000002
【特許請求の範囲】
【請求項１】
側壁部の上端部が開口部の縁となっている容器本体とこの容器本体に着脱可能なラベルを備えた容器において、
前記側壁部にその外面から窪んだ凹部が形成され、この凹部の内面は前記側壁部の前記凹部以外の部分の内面から突出する凸部を形成し、前記凸部の横方向の幅は下方になるほど広く形成され、
前記ラベルは可撓性ある板状のものであって、ラベル本体とこのラベル本体と一体に形成された取付部を有し、
前記取付部は、差込部とこの差込部の両側に形成された係合部を有し、
前記凸部の上端部には前記差込部が挿通可能な挿通用孔が形成され、
前記凸部の両方の側端部の各々に係合用孔が形成され、
前記差込部が前記開口部側から前記挿通用孔に差し込まれたときに、前記各係合部が各係合用孔に係合することを特徴とする容器。
【請求項２】
請求項１に記載した容器であって、前記ラベルの取付部の差込部には、切込等により抜け防止片が形成され、この抜け防止片は折れ曲り線を介して前記差込部に連成され、前記折れ曲り線で前記ラベル本体の表側に折り曲られて、前記折れ曲り線よりも前記差込部の差込方向と反対側にて前記差込部に対して斜めになり、
前記差込部が前記開口部側から前記挿通用孔に差し込まれたときに、前記抜け防止片が前記挿通用孔を通過して前記挿通用孔に対して抜け防止用のストッパとなることを特徴とする容器。
【発明の詳細な説明】
【技術分野】
【０００１】
本発明は、苗の育成用等の容器に関し、特に、容器本体に取付けられたラベルの脱落を確実に防ぐことができる容器に関するものである。
【背景技術】
【０００２】
苗の育成用容器において、容器本体の側壁部の上端部に設けられた鍔部に孔が形成され、この孔に前記苗に関する情報の表示用のラベルの下部が差し込まれているものがある。この場合、ラベルは、その下部の両側に上方に開口する切欠が設けられているので、前記孔からラベルの下部を引き抜く場合に、前記切欠が前記孔の縁に引っ掛るため、前記孔からラベルが抜け落ちにくくなっている（例えば特許文献１）。
【特許文献１】実開平７−７３７２号公報
【発明の開示】
【発明が解決しようとする課題】
【０００３】
しかし、上記従来例では、鍔部の孔にラベルの下部を差し込んでいるので、前記切欠がラベルの下部に形成されていても、前記切欠が形成されている部分が前記孔を挿通しているため、前記切欠は前記ラベルが前記孔から抜け落ちることを確実に防ぐことができなかった。
そこで、本発明が解決しようとする課題は、容器本体に着脱自在に取付けられたラベルが上記従来例よりも容器本体から脱落しにくくなるようにすることである。
【課題を解決するための手段】
【０００４】
上記課題を解決するため、請求項１記載の発明は、側壁部の上端部が開口部の縁となっている容器本体とこの容器本体に着脱可能なラベルを備えた容器において、前記側壁部にその外面から窪んだ凹部が形成され、この凹部の内面は前記側壁部の前記凹部以外の部分の内面から突出する凸部を形成し、前記凸部の横方向の幅は下方になるほど広く形成され、前記ラベルは可撓性ある板状のものであって、ラベル本体とこのラベル本体と一体に形成された取付部を有し、前記取付部は、差込部とこの差込部の両側に形成された係合部を有し、前記凸部の上端部には前記差込部が挿通可能な挿通用孔が形成され、前記凸部の両方の側端部の各々に係合用孔が形成され、前記差込部が前記開口部側から前記挿通用孔に差し込まれたときに、前記各係合部が各係合用孔に係合することを特徴とする容器である。
これにより、側壁部の上端部が開口部の縁となっている容器本体の前記側壁部にその外面から窪んだ凹部が形成され、この凹部の内面は前記側壁部の前記凹部以外の部分の内面から突出する凸部を形成し、前記凸部の横方向の幅は下方になるほど広く形成され、前記凸部の上端部には挿通用孔が形成され、前記凸部の両方の側端部の各々に係合用孔が形成されているので、可撓性ある板状のラベルのラベル本体と一体に形成された取付部の差込部が前記開口部側から前記挿通用孔に差し込まれたときに、前記差込部の両側に形成された係合部が前記凸部の両側端部の係合用孔に係合するので、前記ラベルを容器本体に着脱自在に取り付けることができる。
【０００５】
さらに、請求項２記載の発明は、請求項１に記載した容器であって、前記ラベルの取付部の差込部には、切込等により抜け防止片が形成され、この抜け防止片は折れ曲り線を介して前記差込部に連成され、前記折れ曲り線で前記ラベル本体の表側に折り曲られて、前記折れ曲り線よりも前記差込部の差込方向と反対側にて前記差込部に対して斜めになり、
前記差込部が前記開口部側から前記挿通用孔に差し込まれたときに、前記抜け防止片が前記挿通用孔を通過して前記挿通用孔に対して抜け防止用のストッパとなることを特徴とする容器である。
これにより、前記ラベルの取付部の差込部に切込等により形成された抜け防止片が折れ曲り線を介して前記差込部に連成され、前記折れ曲り線で前記ラベル本体の表側に折り曲られて、前記折れ曲り線よりも前記差込部の差込方向と反対側にて前記差込部に対して斜めになるように形成されているので、前記差込部が前記開口部側から前記挿通用孔に差し込まれたときに、前記抜け防止片が前記可撓性により前記挿通用孔を通過して前記挿通用孔に対して抜け防止用のストッパとなるので、ラベルを一層確実に容器本体に着脱自在に取り付けることができる。なお、ラベルを容器本体から取り外すときには、前記可撓性により前記抜け防止片を手で押して前記差込部と同じ面に位置するようにすれば、容易にラベルを容器本体から取り外すことができる。
【発明の効果】
【０００６】
請求項１記載の発明に係る容器によれば、容器本体に着脱自在に取付けられたラベルが上記従来例よりも容器本体から脱落しにくくなる。
さらに、請求項２記載の発明に係る容器によって、請求項１記載の発明の効果とともに、一層確実にラベルを容器本体に着脱自在に取り付けることができる。
【発明を実施するための最良の形態】
【０００７】
以下、図面を参照して本発明を実施するための最良の形態を説明する。
図１は、本発明の実施の形態に係る容器を示し、図２は図１のＡ−Ａ断面を示し、図３は図１の容器本体のＢ−Ｂ断面を示し、図４は図１のＣ−Ｃ断面を示し、図５は図４の側壁部の凸部の上端部のＤ視図を拡大して示し、図６は図１のラベルの取付部を拡大して示す。
【０００８】
図１に示すように、容器１０は、側壁部２１の上端部２１ａが開口部２５の縁となっている容器本体２０とこの容器本体２０に着脱可能なラベル３０を備えている。
図１および図２に示すように、側壁部２１にその外面２１ｂから窪んだ凹部２２が形成されている。そして、図２に示すように、この凹部２２の内面２１ｃ（側壁部２１の内面２１ｃの一部分である。）は側壁部２１の凹部２２以外の部分の内面２１ｃから突出する凸部２３を形成している。凸部２３は台形状であり、凸部２３の横方向の幅２３ｗは下方になるほど広く形成されている。
【０００９】
図６に示すように、ラベル３０は可撓性ある板状（シート状を含む。）のものであって、ラベル本体３１とこのラベル本体３１と一体に形成された取付部３２を有している。この取付部３２は、差込部３３とこの差込部３３の両側に形成された一対の係合部３４、３５を有している。ラベル本体３１の表３１ａ側には苗等の説明を印刷することができる。
図２および図５に示すように、凸部２３の上端部２３ａには差込部３３が挿通可能な挿通用孔２４ａが形成されている。そして、図４に示すように、凸部２３の両方の側端部２３ｂ、２３ｃの各々に係合用孔２４ｂ（図３参照）、２４ｃ（図２参照）が形成されている。
【００１０】
図１および図２に示すように、上記凹部２２および凸部２３は側壁部２１の四方の各部分に形成されている。そして、各凸部２３には挿通用孔（挿通用孔２４ａに相当する。）および係合用孔（係合用孔２４ｂ、２４ｃに相当する。）が形成されている。
また、図１に示すように、容器本体２０において、底部２６および底部２６に連成された側壁部２１の下部の四隅には同じ形状のスリット２７ａ、２７ｂ（図２参照）、２７ｃ、２７ｄが形成されている。これらのスリット２７ａ〜２７ｄにより容器本体２０内に入れる図示しない育苗用土等の水はけを良くすることができる。
【００１１】
以上の構成の容器１０では、以下のようにして、ラベル３０が容器本体２０に着脱自在に取り付けられる。
すなわち、容器本体２０の側壁部２１にその外面２１ｂから窪んだ凹部２２が形成され、この凹部２２の内面２１ｃは側壁部２１の凹部２２以外の部分の内面２１ｃから突出する凸部２３を形成し、この凸部２３の横方向の幅２３ｗは下方になるほど広く形成され、凸部２３の上端部２３ａには挿通用孔２４ａが形成され、凸部２３の両方の側端部２３ｂ、２３ｃの各々に係合用孔２４ｂ、２４ｃが形成されているので、可撓性ある板状のラベル３０のラベル本体３１と一体に形成された取付部３２の差込部３３が開口部２５側から挿通用孔２４ａに差し込まれたときに、差し込まれた差込部３３は凹部２２側に突出し、係合部３４の先端部分３４ａが係合用孔２４ｂに係合し、係合部３５の先端部分３５ａが係合用孔２４ｃに係合する。このため、ラベル３０を容器本体２０に着脱自在に取り付けることができる。
なお、通常凸部２３の上端部２３ａは、容器本体２０に入れられる育苗用土から露出しているので、挿入用孔２４ａを目視しながらラベル３０の差込部３３を挿通用孔２４ａに挿入することができる。
さらに、上記凹部２２および凸部２３は側壁部２１の四方の各部分に形成され、各凸部２３には前記挿通用孔および係合用孔が形成されているので、側壁部２１の四方の任意の部分にラベル３０を着脱自在に取り付けることができる。このため、容器本体２０で育成する苗の花の向きがどのような方向であろうとも、側壁部２１の前記花が向いていない方向の部分にラベル３０を着脱自在に取り付けることができる。
【００１２】
さらに、ラベル３０の取付部３２の差込部３３に切込３３ａ等により形成された抜け防止片３３ｂが折れ曲り線３３ｃを介して差込部３３に連成され、折れ曲り線３３ｃでラベル本体３１の表３１ａ（図１参照）側に折り曲られて、折れ曲り線３３ｃよりも差込部３３の差込方向と反対側にて差込部３３に対して斜めになるように形成されているので、差込部３３が開口部２５側から挿通用孔２４ａに差し込まれたときに、抜け防止片３３ｂが前記可撓性により挿通用孔２４ａを通過して挿通用孔２４ａに対して抜け防止用のストッパとなるので、ラベル３０を一層確実に容器本体２０に着脱自在に取り付けることができる。なお、ラベル３０を容器本体２０から取り外すときには、前記可撓性により抜け防止片３３ｂを手で押して差込部３３と同じ面に位置するようにすれば、容易にラベル３０を容器本体２０から取り外すことができる。
【００１３】
なお、上記実施の形態において、抜け防止片３３ｂが差込部３３に形成されているが、抜け防止片３３ｂはなくてもよい。
また、ラベル本体３１の表３１ａ側には苗等の説明を印刷することができるとしているが、これに限定されず、ラベル本体３１の裏３１ｂ（図４参照）にも苗等の説明を印刷することができる。
【図面の簡単な説明】
【００１４】
【図１】本発明の実施の形態に係る容器を示す斜視図である。
【図２】図１のＡ−Ａ断面を示す断面図である。
【図３】図１の容器本体のＢ−Ｂ断面を示す断面図である。
【図４】図１のＣ−Ｃ断面を示す断面図である。
【図５】図５は図４の側壁部の凸部の上端部のＤ視図を拡大して示す部分図である。
【図６】図１のラベルの取付部を拡大して示す部分図である。
【符号の説明】
【００１５】
１０  容器
２０  容器本体
２１  側壁部
２１ａ  上端部
２１ｂ  外面
２１ｃ  内面
２２  凹部
２３  凸部
２３ａ  上端部
２３ｂ、２３ｃ  側端部
２３ｗ  横方向の幅
２４ａ  挿通用孔
２４ｂ、２４ｃ  係合用孔
２５  開口部
３０  ラベル
３１  ラベル本体
３２  取付部
３３  差込部
３３ａ  切込
３３ｂ  抜け防止片
３４、３５  係合部
【図１】
2006075045.tif 000003
【図２】
2006075045.tif 000004
【図３】
2006075045.tif 000005
【図４】
2006075045.tif 000006
【図５】
2006075045.tif 000007
【図６】
2006075045.tif 000008